(57)【要約】【課題】  複数の光、特に相互に混合されない充填物質から発光される光を混合して、多様な光の特性及び色を具現し得るマルチタイプ無電極電球を提供する。【解決手段】  マルチタイプ無電極電球は、内部に二つの充填空間210が区画形成された透明体のバルブ部220と、バルブ部220の外側に所定長さを有して形成されたステム部230と、各充填空間210にそれぞれ注入されて、電磁波エネルギーによりプラズマを発生する充填物質と、を有する。【選択図】      図１
2005071977.tif 000002
【特許請求の範囲】
【請求項１】
内部に二つの充填空間が区画形成された透明体のバルブ部と、
前記バルブ部の外側に所定長さを有して形成されたステム部と、
前記各区画形成された充填空間にそれぞれ注入されて、電磁波エネルギーによりプラズマを発生する充填物質と、を有することを特徴とするマルチタイプ無電極電球。
【請求項２】
前記充填空間は、前記ステム部を基準軸にして相互に対向して配列される請求項１に記載のマルチタイプ無電極電球。
【請求項３】
前記各充填空間の区画壁は、円板により形成される請求項２に記載のマルチタイプ無電極電球。
【請求項４】
前記区画された二つの充填空間の容積は、相互に同様である請求項２に記載のマルチタイプ無電極電球。
【請求項５】
前記区画された二つの充填空間の形状は、相互に同様に形成される請求項２に記載のマルチタイプ無電極電球。
【請求項６】
前記区画された二つの充填空間は、前記ステム部を基準軸にして軸方向に配列される請求項１に記載のマルチタイプ無電極電球。
【請求項７】
前記区画された二つの充填空間の容積は、相互に同様である請求項６に記載のマルチタイプ無電極電球。
【請求項８】
前記区画された二つの充填空間の形状は、相互に同様に形成される請求項６に記載のマルチタイプ無電極電球。
【請求項９】
前記バルブ部は、球状に形成される請求項１に記載のマルチタイプ無電極電球。
【請求項１０】
前記バルブ部は、非球状に形成される請求項１に記載のマルチタイプ無電極電球。
【請求項１１】
前記充填空間にそれぞれ注入される充填物質は、構成物質が相互に異なる請求項１に記載のマルチタイプ無電極電球。
【請求項１２】
内部に二つ以上の充填空間が区画形成された透明体のバルブ部と、
前記バルブ部に所定長さを有して形成されたステム部と、
前記各充填空間にそれぞれ注入されて、電磁波エネルギーによりプラズマを発生する充填物質と、を有することを特徴とするマルチタイプ無電極電球。
【請求項１３】
前記充填空間は、三つ形成される請求項１２に記載のマルチタイプ無電極電球。
【請求項１４】
前記三つの充填空間は、同様な形状及び容積を有して形成される請求項１３に記載のマルチタイプ無電極電球。
【請求項１５】
前記各充填空間の容積は、相互に異なる請求項１２に記載のマルチタイプ無電極電球。
【請求項１６】
前記各充填空間に注入された充填物質は、相互に異なる成分により構成される請求項１２に記載のマルチタイプ無電極電球。
【請求項１７】
内部に二つの充填空間が区画形成された透明体のバルブ部と、
区画された前記各充填空間にそれぞれ注入されて、電磁波エネルギーによりプラズマを発生する充填物質と、を有することを特徴とするマルチタイプ無電極電球。
【請求項１８】
前記各充填空間に注入された充填物質の構成成分は、相互に異なる請求項１７に記載のマルチタイプ無電極電球。
【発明の詳細な説明】
【技術分野】
【０００１】
本発明は、マルチタイプ無電極電球に係るもので、詳しくは、複数の光を混合して多様な光の特性及び色を具現し得るマルチタイプ無電極電球に関するものである。
【背景技術】
【０００２】
一般に、無電極照明機器は、無電極電球に充填されたガスを励起させてプラズマ状態に変換することで、該プラズマから発生する光により周辺を照明するが、このとき、プラズマにより発生する光は自然光であって、一般に使用される白熱灯や蛍光灯に比べて照明効果が優秀であり、且つ、電球が長寿命である特徴がある。
【０００３】
図5は一般の無電極照明機器を示した縦断面図で、図示されたように、前記無電極照明機器は、ケーシング10と、該ケーシング10の内部に装着されて高電圧を発生する高電圧発生手段20と、前記ケーシング10の内部に装着されて前記高電圧発生手段20から発生する高電圧により電磁波を発生する電磁波発生手段30と、該電磁波発生手段30から発生する電磁波を案内する導波管40と、前記ケーシング10の外側前面に装着されて、前記導波管40を通して案内される電磁波を励起させて強い電界を発生する共振器50と、該共振器50の内部に回転自在に装着されて、前記共振器50の強い電界により内部に充填された充填物質が励起されてプラズマ光を発生する無電極電球60と、該無電極電球60を取り囲むように覆われて、該無電極電球60から発生する光を前面に反射させるミラー70及び反射鏡笠71と、を含んで構成されている。
【０００４】
又、前記ケーシング10の内部には、前記無電極電球60を回転させる第1駆動モータ80が装着され、該第1駆動モータ80の軸81が前記無電極電球60に連結される。
【０００５】
又、前記ケーシング10の下方側にエアダクト11が装着され、該エアダクト11の内部に外部の空気を吸入するファン90が装着され、該ファン90の側方に該ファン90を回転させる第2駆動モータ100が装着される。
【０００６】
以下、このように構成された無電極照明機器の動作について説明する。
【０００７】
まず、前記無電極照明機器に電源が印加されると、前記高電圧発生手段20に高電圧が発生し、該高電圧発生手段20から発生した高電圧により前記電磁波発生手段30から電磁波が発振される。次いで、該電磁波発生手段30から発振される電磁波は導波管40を通して共振器50に伝達され、該共振器50に伝達された電磁波は、該共振器50の内部で強い電界を分布させる。次いで、前記共振器50の内部に分布される強い電界により前記無電極電球60に充填された充填物質が放電されると共に、気化されることでプラズマが発生され、該プラズマにより発光された光は、前記ミラー70及び反射鏡笠71により前面に反射される。
【０００８】
次いで、前記第1駆動モータ80が動作して前記無電極電球60を回転させることで、無電極電球60の集中加熱が防止され、プラズマが均一に分布される。
【０００９】
且つ、前記第2駆動モータ100が動作してファン90を回転させることで、外部の空気がエアダクト11を通してケーシング10の内部に流動され、高電圧発生手段20及び電磁波発生手段30が冷却される。
【００１０】
このとき、前記無電極電球60は、図6に示したように、内部に一つの充填空間61が形成された球状の透明体に形成されたバルブ部62と、該バルブ部62の一方側に所定長さ延長形成されて、前記第1駆動モータ80の軸に連結されるステム部63と、前記バルブ部62の充填空間61に充填された充填物質と、を含んで構成され、このとき、前記バルブ部62は所定厚さの外周壁を有する球状に形成され、前記ステム部63は所定長さの丸棒状に形成される。
【００１１】
又、前記無電極電球60は、共振器50の内部に形成された電界により充填空間61の充填物質が励起されてプラズマを発生し、該プラズマから光が放出される。該放出された光は、前記無電極電球の充填空間61に充填された充填物質の構成成分又は添加物質に応じて、その光の色及び特性が異なるため、所望の色や特性の光を照明しようとする場合、適宜な充填物質を組成して充填空間61に注入するようになる。又、二つの混合された光を所望する場合、それら光を放出する充填物質を組成し、該組成された充填物質を一緒に充填空間61に注入させる。この場合、所定条件で二つの充填物質がそれぞれ光を放出させ、それら二つの混合された光が無電極電球60の外部に放出される。
【００１２】
例えば、A1光を出す充填物質Aはa、b及びcを含む組成物質で、B1光を出す充填物質Bはd、e及びfを含む組成物質である場合、所望の光が光A1及び光B1を混合した光であるとすると、無電極電球の充填空間61に充填物質A及び充填物質Bを一緒に混合して注入させた後、所定条件に維持すると、光A1と光B1とが混合された光が放出される。
【発明の開示】
【発明が解決しようとする課題】
【００１３】
然るに、このように構成された従来無電極電球においては、二つ又はそれ以上の混合された光を放出させるために各充填物質を混合するとき、それら充填物質の化学組成に応じて相互混合されない現象が発生し、よって、所望の光を放出し得ないという不都合な点があった。
【００１４】
又、人の社会生活が漸次豊富になるにつれて、照明に対する人の欲求も多様化されるが、このような多様な人の欲求を充足し得ないという不都合な点があった。
【００１５】
本発明は、このような従来の課題に鑑みてなされたもので、複数の光、特に相互に混合されない充填物質から発光される光を混合することで、多様な光の特性及び色を具現し得るマルチタイプ無電極電球を提供することを目的とする。
【課題を解決するための手段】
【００１６】
このような目的を達成するため、本発明に係るマルチタイプ無電極電球においては、内部に複数の充填空間が区画形成された透明体のバルブ部と、該バルブ部の外側に所定長さを有して延長形成されたステム部と、前記各充填空間にそれぞれ注入されて電磁波エネルギーによりプラズマを発生する充填物質と、を含んで構成されることを特徴とする。
【発明の効果】
【００１７】
本発明に係るマルチタイプ無電極電球においては、バルブ部220の内部に複数の充填空間210を区画形成し、それら充填空間210に相互に混合されない各充填物質をそれぞれ注入し、所定条件で各充填物質が放出される光を混合して所望の光の特性及び色を得ることで、光効率が上昇すると共に、多様な光の特性及び色を具現するため、使用範囲を広げて使用者の欲求を充足し得るという効果がある。
【発明を実施するための最良の形態】
【００１８】
以下、本発明に係る実施形態について、図面に基づいて説明する。
【００１９】
図1は本発明に係るマルチタイプ無電極電球の第1実施形態が具備された無電極照明機器を示した断面図であり、図2は図1のマルチタイプ無電極電球の構造を示した正断面図である。図中、従来例と同様な部分に対しては同様な符号を付した。
【００２０】
前記無電極照明機器の構成は、前記一般の無電極照明機器と同様であるため、前記無電極照明機器の構成に対する説明は省略する。
【００２１】
図示されたように、本発明に係るマルチタイプ無電極電球200は、共振器50の内部に回転自在に装着されて第1駆動モータ80に連結されるが、このとき、前記マルチタイプ無電極電球200は、別途の連結手段により前記第1駆動モータの軸81に連結することもできるし、又は前記第1駆動モータ80の軸81に直接連結することもできる。
【００２２】
又、本発明に係るマルチタイプ無電極電球200は、内部に二つの充填空間210が離隔形成された透明体のバルブ部220と、該バルブ部220の外側に所定長さを有して形成されたステム部230と、前記各充填空間210にそれぞれ注入されて電磁波エネルギーによりプラズマを発生する充填物質と、を含んで構成されている。
【００２３】
又、前記バルブ部220は所定径及び厚さの球状に形成され、前記ステム部230は前記バルブ部220の一方側に所定長さを有して延長形成される。又、前記バルブ部220は所定厚さを有して形成され、前記ステム部230は前記バルブ部の中心に対して放射状に位置される。
【００２４】
又、前記充填空間210は、前記ステム部230を基準軸に相互対向するように区画壁221により区画される。該区画壁221は円板状に形成されて、前記バルブ部220の内部に挿合されることによって該バルブ部220が区画されるため、該区画された充填空間210は半球状に形成される。又、前記二つの充填空間210の容積及び形状は相互に同様に形成されるが、場合によっては、相互に異なるように形成することもできる。
【００２５】
又、前記各充填空間210に注入される充填物質は、プラズマを形成する条件に従って、放出光が相互に異なる物質を用いる。
【００２６】
又、図3に示したように、本発明の第2実施形態に係るマルチタイプ無電極電球は、前記バルブ部220の内部に外周壁面が湾曲された二つの中空6面体の充填空間210が連続形成されるが、それら二つの充填空間210は前記ステム部230を基準軸にして軸方向に配列するように構成することもできる。
【００２７】
即ち、前記バルブ部220は二つの非球状の中空6面体に形成されて、その容積が相互に同様に形成されるが、場合によっては、相互に異なるように形成することもできるし、前記バルブ部220を楕円球若しくは球状に形成することもできる。
【００２８】
又、前記各充填空間210に注入される充填物質は、プラズマを形成する条件に従って、放出光が相互に異なる物質を用いる。
【００２９】
図4は本発明の第4実施形態に係るマルチタイプ無電極電球を示した正面図で、図示されたように、内部に3個の充填空間210が区画形成されたバルブ部220と、該バルブ部220に所定長さを有して形成されたステム部230と、前記各充填空間210にそれぞれ注入されて電磁波エネルギーによりプラズマを発生する充填物質と、を含んで構成することもできる。
【００３０】
このとき、それら三つの充填空間210は同様な形状及び容積に形成することもできるし、相互に異なるように形成することもできる。
【００３１】
又、前記各充填空間210に注入される充填物質は、プラズマを形成する条件に従って、放出光が相互に異なる物質を用いる。
【００３２】
以下、本発明に係るマルチタイプ無電極電球の作用効果について説明する。
【００３３】
まず、前記無電極照明機器は、電源が供給されると、前記高電圧発生手段20に高電圧が発生し、該発生された高電圧により前記電磁波発生手段30から電磁波を発振させる。
【００３４】
次いで、該発振された電磁波は、導波管40を通して共振器50に伝達され、該伝達された電磁波は、該共振器50の内部で強い電界を分布させ、該分布される強い電界により、前記マルチタイプ無電極電球200の各充填空間210に充填された各充填物質が励起されて放電されると共に、気化されることで各充填空間210からプラズマが発生される。
【００３５】
このとき、前記各充填空間210にそれぞれ注入された各充填物質が相互に異なるため、各充填空間210から発生するプラズマは、それら充填空間210に注入された充填物質の性質に応じた光の特性及び色を放出する。このようにして各充填空間210から放出される各光は、相互に混合してミラー70及び反射鏡笠71により反射されて前方に放映される。
【００３６】
次いで、前記第1駆動モータ80が動作して前記マルチタイプ無電極電球200を回転させることで、プラズマによる熱がバルブ部220に集中加熱される現象が抑制される。
【００３７】
又、前記第2駆動モータ100が動作してファン90を回転させることで、外部の空気がエアダクト11を通してケーシング10の内部に流動しながら、高電圧発生手段20及び電磁波発生手段30を冷却させるようになる。
【００３８】
一方、前記マルチタイプ無電極電球の各充填空間210に充填された各充填物質は、最終的に所望の光の特性及び色を構成する基本光をそれぞれ放出する。即ち、所望の光の色及び特性が光A1と光B1とを混合して得られる場合、マルチタイプ無電極電球の各充填空間210にA1光を放出する充填物質とB1光を放出する充填物質とがそれぞれ注入されて、前記マルチタイプ無電極電球200を所定条件に維持させると、所望のA1とB1との混合された光が放出されるようになる。
【００３９】
又、前記マルチタイプ無電極電球の各充填空間210に注入された充填物質はそれぞれ異なるため、相互によく混合されない物質である。勿論、前記充填空間210にそれぞれ注入される各充填物質は相互に同様であるか、又は相互によく混合されることもあるが、この場合、複数の充填空間210を構成する意味がなくなる。
【図面の簡単な説明】
【００４０】
【図１】本発明に係るマルチタイプ無電極電球の第1実施形態が具備された無電極照明機器を示した縦断面図である。
【図２】図1の無電極電球の構造を示した縦断面図である。
【図３】本発明の第2実施形態に係る無電極電球を示した縦断面図である。
【図４】本発明の第3実施形態に係る無電極電球を示した縦断面図である。
【図５】一般の無電極照明機器の構造を示した縦断面図である。
【図６】図5の無電極照明機器の無電極電球を示した縦断面図である。
【符号の説明】
【００４１】
210…充填空間
220…バルブ部
230…ステム部
【図１】
2005071977.tif 000003
【図２】
2005071977.tif 000004
【図３】
2005071977.tif 000005
【図４】
2005071977.tif 000006
【図５】
2005071977.tif 000007
【図６】
2005071977.tif 000008